(57)【特許請求の範囲】
【請求項１】
略円筒形状を有する透明なキャップ部と、
このキャップ部を内視鏡の先端部に固定する固定部と、
内視鏡の挿入方向に対して斜めになった平面に沿って形成されているキャップ部の先端縁と、
先端側の開口が、上記キャップ部における挿入方向の寸法が最も短い箇所で上記キャップ部の内側に連通し、上記キャップ部が内視鏡に固定された際に内視鏡挿入部の外に並設される、処置具が挿脱可能にされた軟性チューブと、
を有しており、上記キャップ部の内周面に、内側に突出した突起が形成されていることを特徴とする内視鏡用フード。
【請求項２】
上記固定部は、内視鏡の先端部に外嵌する略円筒状に形成されていることを特徴とする、請求項１に記載の内視鏡用フード。
【請求項３】
上記キャップ部の外径は、上記固定部の外径より大きいことを特徴とする、請求項２に記載の内視鏡用フード。
【請求項４】
略円筒形状を有する透明なキャップ部と、
このキャップ部を内視鏡の先端部に固定する固定部と、
内視鏡の挿入方向に対して斜めになった平面に沿って形成されているキャップ部の先端縁と、
先端側の開口が、上記キャップ部における挿入方向の寸法が最も短い箇所で上記キャップ部の内側に連通し、上記キャップ部が内視鏡に固定された際に内視鏡挿入部の外に並設される軟性チューブと、
上記軟性チューブ内に挿入され、上記キャップ部の内周面に沿って円周上に広がって配置されたスネアワイヤを有する高周波スネアと、
を有しており、上記キャップ部の内周面に、内側に突出した突起が形成されていることを特徴とする内視鏡用フード。
【請求項５】
上記突起は内側に向けてフランジ状に突出し、上記スネアワイヤは、上記突起の内面上に配置されていることを特徴とする上記請求項４に記載の内視鏡用フード。
【発明の詳細な説明】
【０００１】
【発明の属する技術分野】
本発明は、内視鏡検査や内視鏡手術において内視鏡の挿入部の先端に取り付けられる略円筒状のフードの中に粘膜を吸引してポリープ状にし、その基部を高周波スネアを用いて切断する内視鏡的粘膜切除などに用いる内視鏡用フードに関する。
【０００２】
【従来の技術】
近年、腹壁を切開せずに内視鏡を用いて行なう内視鏡用手術が広く行なわれている。そして、食道や胃の早期癌に対しては、内視鏡のチャンネル内を通して体内に導入される高周波スネアを用いて病変部の粘膜を切断する内視鏡的粘膜切除術が適応されている。
【０００３】
このような粘膜切除術では一般に、内視鏡の挿入部の先端に略円筒状のフードが取り付けられる。そして、このフードの中に粘膜を吸引してポリープ状にし、その基部を高周波スネアを用いて切断するようになっている。ここで、内視鏡用フード内に引き込んだポリープ状の粘膜の基部に高周波スネアのワイヤを確実に位置させることが大切である。
【０００４】
ところで、内視鏡用フードとしては、実開平６−７５４０２号公報に示されているように透明で硬質なキャップ部と、このキャップ部を内視鏡の先端部に装着する接続部と、キャップ部の先端部に突出した爪とから構成されているものがある。また、特開平９−１８７４１５号公報には透明な略円筒形状のキャップ部の外側にチャンネルを配置した構造が記載されている。
【０００５】
【発明が解決しようとする課題】
実開平６−７５４０２号公報に記載のフードでは、内視鏡チャンネルに高周波スネアが挿通されている。この場合、内視鏡チャンネルの先端開口部はフードの内周面の位置よりも内側に離れた位置に配置されているので、内視鏡チャンネルを通してフードの内部に導入された高周波スネアを広げ難い問題がある。
【０００６】
さらに、内視鏡チャンネルに挿通された高周波スネアと他の処置具とが同時に使用できない問題がある。特に、内視鏡チャンネルに同時に超音波プローブを挿通して使用できないので、高周波スネアが筋層をつかんでいないかどうかの確認ができない。また、内視鏡チャンネルが高周波スネアによって塞がっている状態で吸引動作が行なわれることになるので、十分な粘膜挙上を行なえないという問題もある。
【０００７】
また、特開平９−１８７４１５号公報においては、予め体外にて、キャップ部の外側に配置したチャンネルに高周波スネアを挿通し、内視鏡を体内に挿入する前に、あらかじめキャップ部の外側に高周波スネアのスネアワイヤを広げて係止させておく構成になっている。この場合には、体外でスネアワイヤをキャップ部の外側で広げて位置決めをする作業を行なうため、スネアを掛け直す際には内視鏡を体外に引き抜く面倒な作業が必要になる問題がある。また、キャップ部の外側に広げて係止させたスネアワイヤがキャップ部から外れ難いという問題もある。
【０００８】
本発明は上記事情に着目してなされたもので、その目的は、内視鏡的粘膜切除をおこなう際に、超音波プローブを併用し、安全な処置を行なえるとともに、高周波スネアを用いた粘膜切除の一連の手技を簡便に行なうことができる内視鏡用フードを提供することにある。
【０００９】
【課題を解決するための手段】
本発明は、内視鏡の挿入部の先端部に配設される略円筒形状の透明なキャップ部と、このキャップ部を前記内視鏡の挿入部の先端部に着脱可能に固定する内視鏡装着部と、前記キャップ部の内側に連通する連通口部に先端部が連結され、内視鏡用処置具が挿脱可能に挿通される軟性チューブと、を具備したことを特徴とする内視鏡用フードである。
【００１０】
そして、上記のように構成することにより、内視鏡のチャンネルを通して超音波プローブ等が体内に導入され、同時に軟性チューブを通して高周波スネアが体内に導入される。これにより、高周波スネアでの粘膜や筋層の緊縛の状況を超音波プローブ等によって確認することができ、より安全な粘膜の切除を行なうことができる。また、軟性チューブを通して体内に導入される高周波スネアと、内視鏡のチャンネルを通して体内に導入される注射針や高周波ナイフなどの粘膜の切除において必要な処置具とを同時に使用することもでき、手技が簡便となる。
【００１１】
さらに、内視鏡を抜き差しすることなく、キャップ部内でのスネアワイヤのルーピング作業を複数回、繰り返すことが可能で、スネアワイヤのルーピングが容易となり、また、キャップ部の中に粘膜を吸引する時の空気漏れを防止できるため確実に粘膜を吸引挙上することができるようにしたものである。
【００１２】
【発明の実施の形態】
以下、本発明の第１の実施の形態を図面を参照して説明する。
図１および図２は本第１の実施の形態の内視鏡用フード１を示すものである。この内視鏡用フード１には略円筒形状の透明なキャップ部２と、内視鏡用フード１を内視鏡３の挿入部４の先端部に着脱可能に固定する略円筒形状の内視鏡装着部５とが設けられている。ここで、キャップ部２は、例えば外径１８ｍｍ、内径１６ｍｍ、長さ１４ｍｍの略円筒形状に形成されている。さらに、内視鏡装着部５は、例えば外径１３ｍｍ、内径１２ｍｍ、長さ１０ｍｍの略円筒形状に形成されている。
【００１３】
また、内視鏡装着部５の先端部には、内部側に向けて高さ約０．５ｍｍ程度の内視鏡係止部６が突設されている。そして、内視鏡用フード１を内視鏡３に固定する場合には内視鏡３の挿入部４の先端が内視鏡装着部５の内部に挿入される。このとき、図１に示すように内視鏡３の挿入部４の先端が内視鏡係止部６に突き当たる位置まで押し込むことにより、内視鏡３の挿入部４の先端がキャップ部２に入り込まない状態で、内視鏡用フード１の内視鏡装着部５が内視鏡３の挿入部４の先端に固定される構造になっている。
【００１４】
さらに、キャップ部２の先端部には例えば高さ０．８ｍｍ程度の爪部７が内部側に向けて突設されている。そして、図４に示すようにこの爪部７に高周波スネア１６等の処置具のスネアシース１６ａから繰り出される高周波スネアワイヤ１６ｂが係留されるようになっている。
【００１５】
また、キャップ部２の基端部と内視鏡装着部５の先端部との間のフランジ状の段差部にはキャップ部２の内側に連通する連通口部８が形成されている。さらに、内視鏡装着部５の外側には高周波スネア１６等の処置具を挿通可能な軟性チューブ９が配置されている。この軟性チューブ９の先端部は、連通口部８に連結されている。ここで、軟性チューブ９の先端部は、接着、溶着等の手段により内視鏡装着部５およびキャップ部２に気密を保った状態で固着されている。そして、この軟性チューブ９の先端はキャップ部２の内側に開口されている。
【００１６】
なお、軟性チューブ９とキャップ部２との接続部においては、軟性チューブ９の長軸とキャップ部２の軸はほぼ平行に配置されている。また、軟性チューブ９先端開口部はキャップ部２の内壁に隣接して配置されている。
【００１７】
さらに、内視鏡用フード１は、例えばスチレン系樹脂である透過率９０％以上でショアー硬度８２のＳＢポリマー（クラレ社製）で上記形状に製作されている。なお、内視鏡用フード１の材料は必ずしもこれに限定されるものではなく、ビニル芳香族化合物を主体とする重合体ブロック（ａ）と共役ジエン化合物を主体とする重合ブロック（ｂ）からなるブロック共重合物（Ａ）とメタクリル酸メチルを主成分としたアクリル系樹脂（Ｂ）と少なくとも１種の熱可塑性樹脂を主成分とする組成物（Ｃ）から構成される軟質透明樹脂であればよい。より具体的には（ａ）成分としてはスチレン、（ｂ）成分としてはイソプレン、（Ｂ）の樹脂としてはメタクリル酸メチル−アクリル酸の共重合物であるアクリル系樹脂、（Ｃ）の熱可塑性樹脂としてはスチレン−アクリロニトリル樹脂の構成が好ましい。
【００１８】
上記記載の樹脂は、生体適合性に優れかつ内視鏡３の視野を妨げることのない透過率及び無着色であり、さらには粘膜に押し付けたり吸引したときに大きな変形が生じない程度の硬度を有している。
【００１９】
ここで、内視鏡用フード１のキャップ部２の外径は患者の苦痛軽減を考慮すれば直径が１６ｍｍ〜２０ｍｍ程度に設定される。また、キャップ部２の内径は粘膜切除量の径大化を考慮すれば、直径が１４ｍｍ〜１８ｍｍ程度に設定される。さらに、キャップ部２の肉厚は粘膜の押圧及び吸引時の変形に耐えうる厚さが必要である為、０．５ｍｍ〜２ｍｍ程度に設定される。よって、内視鏡用フード１のキャップ部２は上記寸法を考慮すると、外径１８ｍｍ程度、内径１６ｍｍ程度、肉厚は１ｍｍ程度が好ましい。
【００２０】
さらに、キャップ部２の先端縁は、内視鏡３の挿入方向に対して垂直になった平面内に沿って形成されている。なお、キャップ部２の先端縁を内視鏡３の挿入方向に対して斜めに形成してもよい。
【００２１】
また、内視鏡用フード１の内視鏡装着部５の内径は、内視鏡３の外径に適応する大きさが必要であるため６ｍｍ〜１６ｍｍ程度に設定され、内視鏡装着部５の肉厚は内視鏡３への装着性と成形性の兼ね合いから０．５ｍｍ〜１ｍｍ程度に設定される。また、内視鏡装着部５の長さについては、内視鏡用フード１を装着した内視鏡３の体腔内の挿通時における脱落の危険性と内視鏡３の湾曲性能の妨げにならないという観点から３ｍｍ〜１０ｍｍ程度に設定される。よって、内視鏡用フード１の内視鏡装着部５は上記寸法を考慮すると、肉厚が０．７ｍｍ、長さは１０ｍｍ程度が好ましい。
【００２２】
さらに、キャップ部２の先端に設けられた爪部７は、高周波スネアワイヤ１６ｂのワイヤ径よりも大きいことが必要であるため少なくとも０．３ｍｍ以上に設定されるが、爪部７が大きくなればなるほど粘膜吸引量が制限されて、強いては粘膜切除量も減少することから多くても２ｍｍ未満であり、好ましくは０．８ｍｍ程度に設定される。
【００２３】
また、内視鏡用フード１の内視鏡装着部５の先端部に配設されている内視鏡係止部６は、内視鏡装着部５にて装着された内視鏡３の先端が体内挿入時及び体外抜去時の管腔壁からの押圧に対しても係止可能な寸法が必要である。しかし一方では、内視鏡係止部６が大きすぎた際に内視鏡３の視野内に内視鏡係止部６が映ることを考慮すると、内視鏡係止部６の高さは、０．３ｍｍ〜１ｍｍの範囲であり、好ましくは０．５ｍｍ程度である。
【００２４】
また、軟性チューブ９は内視鏡３の挿入部４に沿って、内視鏡３の挿入部４の有効長とほぼ等しい長さか、又はそれ以上の長さとなるように設定されている。さらに、この軟性チューブ９の材質は内視鏡３の挿入部４の湾曲等の動きを妨げず、かつ体内の消化管組織を傷つけないよう、可撓性の材料、例えば、フッ素樹脂、塩化ビニル、ポリウレタン、ポリエチレン等の軟性合成樹脂を用いて構成するのが望ましい。また、この軟性チューブ９には処置具が挿通可能とするため、内径が１．０〜４ｍｍ、望ましくは２．９ｍｍ程度に設定されている。
【００２５】
また、軟性チューブ９の手元側には気密弁１０が設けられている。この気密弁１０は軟性チューブ９の手元側端部に固定された口金１１に固定される鉗子栓１２と、この鉗子栓１２に着脱可能に装着される蓋体１３と、この蓋体１３と鉗子栓１２との間を連結する連結ベルト１４とによって形成されている。そして、軟性チューブ９に何も挿通されていない状態および処置具等が挿通された状態いずれにおいても気密が保たれるように設定されている。これにより、内視鏡３が体内に位置している状態でも汚物や粘液が軟性チューブ９を通って手元側に漏れ出てくることを防止している。
【００２６】
次に、上記構成の作用について説明する。ここでは、本実施の形態の内視鏡用フード１を装着した内視鏡３を用いて、粘膜Ｈ１を切除する際の手順について説明する。
【００２７】
まず、内視鏡用フード１を内視鏡３の挿入部４の先端に装着し、軟性チューブ９を内視鏡３の挿入部４に沿って、医療用テープ等で固定する。この状態で、内視鏡３の挿入部４は図示しない操作部で操作しながら体内に挿入され、内視鏡用フード１のキャップ部２の先端開口部を目的の粘膜切除部分Ｈ２に向けて移動させる。
【００２８】
続いて、図３に示すよう内視鏡用フード１のキャップ部２の先端部開口部を粘膜Ｈ１に押し付ける。この状態で、内視鏡３のチャンネル１５を経由して、図示しない吸引装置から吸引することにより、粘膜Ｈ１は負圧によりキャップ部２の内部に引き込まれて粘膜Ｈ１の切除部分Ｈ２が隆起される。この際、上述した気密弁１０の作用により、汚物や粘膜が軟性チューブ９を通って手元側に漏れ出てくることが防止できる。また逆に、外部より内視鏡用フード１のキャップ部２に大気が入り込み、粘膜Ｈ１に対する吸引動作が阻害されるようなこともない。
【００２９】
また、キャップ部２の先端部開口部を粘膜Ｈ１に押し付けた後に、軟性チューブ９や内視鏡３のチャンネル１５を経由して注射針をキャップ部２内に突出させ、該注射針によって粘膜Ｈ１の切除部分Ｈ２と筋層Ｈ３との間に生理食塩水を注入することで、吸引時における粘膜Ｈ１の切除部分Ｈ２が隆起し易くすることも可能である。
【００３０】
その後、体外の気密弁１０を介し、高周波スネア１６を軟性チューブ９内に挿入する。このとき、高周波スネア１６の先端がキャップ部２の内側に突き出でるまで挿入する。
【００３１】
次に、スネアワイヤ１６ｂをスネアシース１６ａから繰り出す。このとき、図４に示すようにスネアワイヤ１６ｂの先端部を爪部７に当てた状態で、スネアワイヤ１６ｂを押し出す。この操作により、スネアワイヤ１６ｂはキャップ部２の先端部内周面に沿って円周上に広がり、図５に示すように粘膜Ｈ１の盛り上がった切除部分Ｈ２の根元に簡単に配置することができる。
【００３２】
また、スネアワイヤ１６ｂを粘膜Ｈ１の盛り上がった切除部分Ｈ２の根元に配置した状態で、さらに吸引することにより、キャップ部２の内部全体に粘膜Ｈ１の切除部分Ｈ２が引き込まれる。
【００３３】
次に、図６に示すように、スネアワイヤ１６ｂをスネアシース１６ａに引き込み、粘膜Ｈ１の切除部分Ｈ２の根元を緊縛する。このとき、内視鏡３のチャンネル１５に挿通した超音波プローブ１７等を用いて粘膜Ｈ１や筋層Ｈ３の状態を検査し、筋層Ｈ３を巻き込んでいない状態を確認することにより、安全な粘膜Ｈ１の切除が可能となる。なお、ここで筋層Ｈ３を巻き込んだ状態での粘膜Ｈ１の切除は穿孔や出血を引き起こす可能性がある。
【００３４】
また、粘膜Ｈ１の切除はスネアワイヤ１６ｂに高周波を通電して行なう。その後、超音波プローブ１７を内視鏡３のチャンネル１５から抜去したのち、図示しない吸引装置により内視鏡３のチャンネル１５を経由して吸引することにより、切除された粘膜Ｈ１は内視鏡用フード１のキャップ部２の内部に保持された状態で内視鏡３と一緒に体腔外へ取り出されて回収される。
【００３５】
そこで、上記構成のものにあっては次の効果を奏する。すなわち、本実施の形態で用いた内視鏡用フード１では内視鏡３のチャンネル１５とは別に、処置具挿通用チャンネルとして軟性チューブ９を設けることで、内視鏡３の改良なしに、軟性チューブ９に挿通された高周波スネア１６と、内視鏡３のチャンネル１５に挿通された超音波プローブ１７とを併用することができる。そのため、高周波スネア１６での粘膜Ｈ１や筋層Ｈ３の緊縛の状況を超音波プローブ１７等によって、確認することができるので、より安全な粘膜Ｈ１の切除を可能としている。
【００３６】
また、注射針または高周波ナイフなどの粘膜Ｈ１の切除において必要な処置具を高周波スネア１６と同時に使用することもできるので、手技が簡便となる効果もある。なお、必要であれば、内視鏡３のチャンネル１５をあけておくことで吸引がより効率的に行なわれるため、確実に粘膜Ｈ１の挙上を行なうこともできる。
【００３７】
さらに、軟性チューブ９がキャップ部２の内側に開口しているため、内視鏡３を抜き差しすることなく、何度でもキャップ部２内でのスネアワイヤ１６ｂのルーピングを繰り返すことが可能である。
【００３８】
また、軟性チューブ９の先端開口部は、キャップ部２の内壁に隣接しており、高周波スネア１６をキャップ部２内に突出した際には高周波スネア１６は図５に示すようにキャップ部２の内壁に沿って広がるため、スネアワイヤ１６ｂが爪部７全体に引っかかるように開き、スネアワイヤ１６ｂのルーピングが容易になる。さらに、吸引時に粘膜Ｈ１がキャップ部２の内部に吸い込まれる動作時にスネアシース１６ａがその吸引動作の邪魔をしない効果もある。特に、近年広範囲の粘膜Ｈ１の切除を可能とするため、大型のキャップ部２が用いられるようになっており、内視鏡３のチャンネル１５の位置とキャップ部２の内壁との間の距離が一層、大きくなるため、大型のキャップ部２の場合、この効果は大きい。
【００３９】
また、軟性チューブ９の手元側に気密弁１０を設けることで、吸引時の軟性チューブ９からの空気漏れを防止し、確実に粘膜Ｈ１の切除部分Ｈ２を吸引、挙上することができる。
【００４０】
さらに、キャップ部２および軟性チューブ９として軟性部材を使用することにより、患者の管腔形状に合わせてキャップ部２および軟性チューブ９を弾性変形させて管腔を通過させることができるため、キャップ部２の外径が大きいにも関わらず、患者の苦痛を押さえることができる。
【００４１】
次に、本発明の第２の実施の形態を図面を参照して説明する。なお、本実施の形態においては、前述した第１の実施の形態における構成と同一部材は同一符号を付与し、詳細な説明は省略する。
【００４２】
図７および図８は、本実施の形態の内視鏡用フード２０を示すものである。この内視鏡用フード２０には、前述した第１の実施の形態と同様に、略円筒形状の透明なキャップ部２１と、内視鏡用フード２０を内視鏡３の挿入部４の先端部に着脱可能に固定する略円筒形状の内視鏡装着部２２とが設けられている。これらキャップ部２１と内視鏡装着部２２とは、図７に示したように外径及び内径が異なる円筒形状に形成されており、両者はテーパー状に形成されたフランジ２３にて接続されている。これらキャップ部２１，内視鏡装着部２２，フランジ２３における外径、内径、厚み、そして素材は、前述した第１の実施の形態における内視鏡用フード１と同様に設定されている。
【００４３】
また、内視鏡装着部２２の先端部には、内部側に向けて内視鏡係止部２４が突設されている。そして、内視鏡用フード２０を内視鏡３に固定する場合には内視鏡３の挿入部４の先端が内視鏡装着部２２の内部に挿入される。このとき、図７に示すように内視鏡３の挿入部４の先端が内視鏡係止部２４に突き当たる位置まで押し込むことにより、内視鏡３の挿入部４の先端がキャップ部２１に入り込まない状態で、内視鏡用フード２０の内視鏡装着部２２が内視鏡３の挿入部４の先端に固定される構造になっている。
【００４４】
さらに、キャップ部２１の先端部には爪部２５が内部側に向けて突設されている。そして、図８に示すようにこの爪部２５に高周波スネア１６等の処置具のスネアシース１６ａから繰り出される高周波スネアワイヤ１６ｂが係留されるようになっている。
【００４５】
また、キャップ部２１の基端部と内視鏡装着部２２の先端部との間のフランジ状の段差部にはキャップ部２１の内側に連通する連通口部２６が形成されている。この連通口部２６はキャップ部２１における挿入方向の寸法が最も短い箇所に配置されている。さらに、内視鏡装着部２２の外側には高周波スネア１６等の処置具を挿通可能な軟性チューブ９が配置されている。この軟性チューブ９の先端部は、上述した連通口部２６に連結されている。ここで、軟性チューブ９の先端部は、接着、溶着等の手段により内視鏡装着部２２およびキャップ部２１に気密を保った状態で固着されている。そして、この軟性チューブ９の先端はキャップ部２１の内側に開口されている。
【００４６】
なお、軟性チューブ９とキャップ部２１との接続部においては、軟性チューブ９の長軸とキャップ部２１の軸はほぼ平行に配置されている。また、軟性チューブ９先端開口部はキャップ部２１の内壁に隣接して配置されている。
【００４７】
さらに、キャップ部２１の先端縁は、内視鏡３の挿入方向に対して斜めになった平面内に沿って形成されている。
本実施形態の内視鏡用フード２０においては、まず、内視鏡用フード２０を内視鏡３の挿入部４の先端に装着し、軟性チューブ９を内視鏡３の挿入部４に沿って、医療用テープ等で固定する。そしてこの状態で、高周波スネア１６を軟性チューブ９内に挿入する。このとき、高周波スネア１６の先端がキャップ部２１の内側に突き出でるまで挿入する。
【００４８】
次に、スネアワイヤ１６ｂをスネアシース１６ａから繰り出す。このとき、図８に示すようにスネアワイヤ１６ｂの先端部を爪部２５に当てた状態で、スネアワイヤ１６ｂを押し出す。この操作により、スネアワイヤ１６ｂはキャップ部２１の先端部内周面に沿って円周上に広がって配置される。
【００４９】
この状態で内視鏡３の挿入部４を図示しない操作部で操作しながら体内に挿入し、内視鏡用フード２０のキャップ部２１の先端開口部を目的の部位に到達させた後、吸引動作を実施する。その後の作用は前述した第１の実施の形態における作用と同様である。
【００５０】
本実施の形態で用いた内視鏡用フード２０では、キャップ部２１の先端縁部が挿入方向に対して傾斜されている。この構成によってキャップ部２１の先端開口部分の面積が大きくなり、一度の吸引動作で吸引できる粘膜Ｈ１の量を増やすことが可能となる。これにより、一度に切除できる粘膜Ｈ１の量を多くすることができる。また、先端縁部が傾斜していることにより、体内への挿入性も向上する。
【００５１】
また、フランジ部２３がテーパー状に形成されているので、内視鏡を体内より引き抜く際の抵抗が少なくなる。
さらに、軟性チューブ９が接続される連通口部２６は、キャップ部２１の挿入方向における寸法が最も小さな箇所に配置されている。この構成により、キャップ部２１内に挿入された高周波スネア１６の先端は、爪部２５の内、キャップ部２１の挿入方向における最も寸法が大きな箇所に位置する部分に当て付く。高周波スネア１６が当て付く爪部は、連通口部２６から遠ければ遠いほど操作し易くなる。
【００５２】
次に、本発明の第３の実施の形態を図面を参照して説明する。なお、本実施の形態においては、前述した第１の実施の形態における構成と同一部材は同一符号を付与し、詳細な説明は省略する。
【００５３】
図９は本実施の形態の内視鏡用フード３０を示すものである。この内視鏡用フード３０には、前述した第１，第２の実施の形態と同様に、略円筒形状の透明なキャップ部３１と、内視鏡用フード３０を内視鏡３の挿入部４の先端部に着脱可能に固定する略円筒形状の内視鏡装着部３２とが設けられている。これらキャップ部３１と内視鏡装着部３２とは、図９に示したように外径及び内径が異なる円筒形状に形成されている。キャップ部３１の中心に対して内視鏡装着部３２の中心は偏心している。これらキャップ部３１，内視鏡装着部３２における外径、内径、厚み、そして素材は、前述した第１，第２の実施の形態における内視鏡用フード１と同様に設定されている。
【００５４】
また、内視鏡装着部３２の先端部には、内部側に向けて内視鏡係止部３３が突設されている。そして、内視鏡用フード３０を内視鏡３に固定する場合には内視鏡３の挿入部４の先端が内視鏡装着部３２の内部に挿入される。このとき、図９に示すように内視鏡３の挿入部４の先端が内視鏡係止部３３に突き当たる位置まで押し込むことにより、内視鏡３の挿入部４の先端がキャップ部３１に入り込まない状態で、内視鏡用フード３０の内視鏡装着部３２が内視鏡３の挿入部４の先端に固定される構造になっている。
【００５５】
さらに、キャップ部３１の先端部には爪部３４が内部側に向けて突設されている。そしてこの爪部３４に高周波スネア１６等の処置具のスネアシース１６ａから繰り出される高周波スネアワイヤ１６ｂが係留されるようになっている。
【００５６】
また、キャップ部３１の基端部と内視鏡装着部３２の先端部との間の段差部にはキャップ部３１の内側に連通する連通口部３５が形成されている。この連通口部３５はキャップ部３１における挿入方向の寸法が最も短い箇所に配置されている。さらに、内視鏡装着部３２の外側には高周波スネア１６等の処置具を挿通可能な軟性チューブ９が配置されている。この軟性チューブ９の先端部は、上述した連通口部３５に連結されている。ここで、軟性チューブ９の先端部は、接着、溶着等の手段により内視鏡装着部３２およびキャップ部３１に気密を保った状態で固着されている。そして、この軟性チューブ９の先端はキャップ部３１の内側に開口されている。
【００５７】
その他の構成・作用は前述した第２の実施の形態における作用と同様である。
本実施の形態で用いた内視鏡用フード３０では、キャップ部３１と内視鏡装着部３２との中心が偏心されている。この構成によって、キャップ部３１の外径を抑えつつ、軟性チューブ９が接続される連通口部３５の配置スペースを確実に確保できる。
【００５８】
次に、図１０を用いて上述した第１の実施の形態における変形例を説明する。
上述した第１の実施の形態においては、内視鏡３の挿入部４に内視鏡用フード１を装着し、患者の体内に挿入した後に軟性チューブ９を介して高周波スネア１６をキャップ部２内に挿入していた。
【００５９】
これに対してこの変形例では、予め高周波スネア１６をキャップ部２内に挿入した内視鏡用フード１を用意し、これを内視鏡３の挿入部４に装着して該挿入部４を体内に挿入するものである。
【００６０】
軟性チューブ９に予め高周波スネア１６を挿通し、キャップ部２内の爪部７の内側に高周波スネア１６のスネアワイヤ１６ｂを当て付ける。この状態でスネアワイヤ１６ｂと爪部７の内側壁面とは、接着力の弱い接着剤５０により接着され、高周波スネア１６の操作ハンドル４０を操作してもスネアワイヤ１６ｂが爪部７の内側壁面から外れないように処置されている。接着剤５０を例えば粘性を有するゴム等で代用しても良い。
【００６１】
操作ハンドル４０は、指掛け部を有するハンドル本体４１と、このハンドル４１に対して軸方向にスライド可能にされたスライダ４２とで構成される。すなわち、ハンドル４１に対してスライダ４２を軸方向にスライドすることにより、高周波スネア１６のスネアワイヤ１６ｂがスネアシース１６ａに対して軸方向に摺動し、スネアワイヤ１６ｂの開きが制御される。
【００６２】
この変形例では、製品が出荷され、術者が使用するまでの間、または術者が使用して内視鏡３の挿入部４が体内に挿入され、目的部位に達するまでの間、スネアワイヤ１６ｂが閉じないよう、ハンドル本体４１に対するスライダ４２の摺動を規制する規制部材４３を設けている。この規制部材４３はハンドル本体４１に対して着脱自在にされており、高周波スネア１６を操作する直前にハンドル本体４１より取り外すことで、スライダ４２の不用意な動作を防ぐことが可能となる。
【００６３】
以上述べたようにこの変形例では、予め高周波スネア１６のスネアワイヤ１６ｂをキャップ部２内にて展開した状態の内視鏡用フードを、一つの製品として操作者に提供することができ、手技前の準備等を簡略化することができ、更なる操作性の向上を図ることが可能となる。
【００６４】
さらに、本発明は上記実施の形態に限定されるものではなく、本発明の要旨を逸脱しない範囲で種々変形実施できることは勿論である。
次に、本出願の他の特徴的な技術事項を下記の通り付記する。
（付記項１）略円筒形状を有する透明なキャップ部と、
このキャップ部を内視鏡の先端部に固定する固定部と、
先端側の開口が上記キャップ部の内側に連通する、処置具が挿脱可能にされた軟性チューブと、
を有することを特徴とする内視鏡用フード。
（付記項２）上記固定部は、内視鏡の先端部に外嵌する略円筒状に形成されていることを特徴とする、上記付記項１に記載の内視鏡用フード。
（付記項３）上記キャップ部の外径は、上記固定部の外径より大きいことを特徴とする、上記付記項２に記載の内視鏡用フード。
（付記項４）上記キャップ部の中心は、上記固定部の中心に対して偏心されていることを特徴とする、上記付記項３に記載の内視鏡用フード。
（付記項５）上記キャップ部の後端部と固定部の先端部とを、フランジ状の連結部で連結したことを特徴とする、上記付記項３に記載の内視鏡用フード。
（付記項６）上記連結部はテーパー状に形成されていることを特徴とする、上記付記項５に記載の内視鏡用フード。
（付記項７）上記軟性チューブの先端は、上記連結部に接続されていることを特徴とする、上記付記項５に記載の内視鏡用フード。
（付記項８）上記キャップ部は軟性の樹脂で形成されていることを特徴とする、上記付記項１に記載の内視鏡用フード。
（付記項９）上記キャップ部の内周面に、内側に突出した突起が形成されていることを特徴とする、上記付記項１に記載の内視鏡用フード。
（付記項１０）上記突起は、上記キャップ部の先端縁近傍に配置されていることを特徴とする、上記付記項９に記載の内視鏡用フード。
（付記項１１）上記突起の手元側端部に、高周波スネアのスネアワイヤが押し当てられて配置されることを特徴とする、上記付記項９に記載の内視鏡用フード。
（付記項１２）上記高周波スネアは、内視鏡が体内に挿入される前にあらかじめ配置されることを特徴とする、上記付記項１１に記載の内視鏡用フード。
（付記項１３）上記突起は内側に向けてフランジ状に突出することを特徴とする、上記付記項９に記載の内視鏡用フード。
（付記項１４）上記キャップ部の内周面に、溝が形成されていることを特徴とする、上記付記項１に記載の内視鏡用フード。
（付記項１５）上記溝は、上記キャップ部の先端縁近傍に配置されていることを特徴とする、上記付記項１４に記載の内視鏡用フード。
（付記項１６）上記溝に、高周波スネアのスネアワイヤが嵌められて配置されることを特徴とする、上記付記項１４に記載の内視鏡用フード。
（付記項１７）上記高周波スネアは、内視鏡が体内に挿入される前にあらかじめ配置されることを特徴とする、上記付記項１６に記載の内視鏡用フード。
（付記項１８）上記キャップ部と固定部との境界部分の内周面に、内側に突出して当接される当接部が配置されていることを特徴とする、上記付記項１に記載の内視鏡用フード。
（付記項１９）上記当接部は内側に向けてフランジ状に突出することを特徴とする、上記付記項１８に記載の内視鏡用フード
（付記項２０）上記キャップ部の先端縁は、挿入方向に対して斜めになった平面内に含まれることを特徴とする、上記付記項１に記載の内視鏡用フード。
（付記項２１）上記キャップ部の先端縁は、挿入方向に対して垂直になった平面内に含まれることを特徴とする、上記付記項１に記載の内視鏡用フード。
（付記項２２）上記軟性チューブは、上記キャップ部における長軸方向の寸法が最も短い箇所に連通されていることを特徴とする、上記付記項２０に記載の内視鏡用フード。
（付記項２３）上記軟性チューブには、手元側から先端側に流体が流入するのを防止する弁が設けられていることを特徴とする、上記付記項１に記載の内視鏡用フード。
（付記項２４）上記弁は、軟性チューブの手元側端部に配置されていることを特徴とする、上記付記項２３に記載の内視鏡用フード。
（付記項２５）上記処置具は、高周波スネアであることを特徴とする、上記付記項１に記載の内視鏡用フード。
（付記項２６）上記処置具は、注射針であることを特徴とする、上記付記項１に記載の内視鏡用フード。
（付記項２７）上記内視鏡の先端に取り付けられた状態で、上記軟性チューブに処置具が挿通されていることを特徴とする、上記付記項１に記載の内視鏡フード。
【００６５】
【発明の効果】
本発明によれば、内視鏡の挿入部の先端部に着脱可能に装着されるキャップ部の内側に連通する連通口部に軟性チューブの先端部が連結され、この軟性チューブに内視鏡用処置具が挿脱可能に挿通されるようにしたので、内視鏡的粘膜切除をおこなう際に、超音波プローブを併用し、安全な処置を行なえるようにするとともに、高周波スネアを用いた粘膜切除の一連の手技を簡便に行なうことができる。
さらに、請求項５乃至請求項７に示される発明によれば、予め高周波スネアワイヤをキャップ部にて展開した状態の内視鏡用フードを１つの製品として操作者に提供することができる。これにより、手技前の準備等を簡略化することができ、さらなる操作性の向上を図ることが可能となる。
【図面の簡単な説明】
【図１】  本発明の第１の実施の形態の内視鏡用フードの構成を示す断面図。
【図２】  第１の実施の形態の内視鏡用フードの斜視図。
【図３】  第１の実施の形態の内視鏡用フードのキャップ部で粘膜を吸引した状態を示す断面図。
【図４】  第１の実施の形態の内視鏡用フードを用いて粘膜に高周波スネアを被せようとしている状態を示す断面図。
【図５】  第１の実施の形態の内視鏡用フードを用いて粘膜に高周波スネアを被せた状態を示す断面図。
【図６】  第１の実施の形態の内視鏡用フードを用いて粘膜を高周波スネアで緊縛し、超音波プローブで粘膜および筋層の状態を確認している状態を示す断面図。
【図７】  第２の実施の形態の内視鏡様フードの構成を示す断面図。
【図８】  第２の実施の形態の内視鏡用フードの斜視図。
【図９】  第３の実施の形態の内視鏡様フードの構成を示す断面図。
【図１０】  第１の実施の形態における変形例の内視鏡様フードの構成を示す断面図。
【符号の説明】
１  内視鏡用フード
２  キャップ部
３  内視鏡
４  挿入部
５  内視鏡装着部
６  内視鏡係止部
７  爪部
１５  チャンネル
Ｈ１  粘膜
１６  高周波スネア
１６ａ  スネアシース
１６ｂ  スネアワイヤ
【図１】
0004674975.tif 000002
【図２】
0004674975.tif 000003
【図３】
0004674975.tif 000004
【図４】
0004674975.tif 000005
【図５】
0004674975.tif 000006
【図６】
0004674975.tif 000007
【図７】
0004674975.tif 000008
【図８】
0004674975.tif 000009
【図９】
0004674975.tif 000010
【図１０】
0004674975.tif 000011